(57)【要約】【課題】ボックス内部に電線を先行配線しただけの状態から、配線器具や電気機器を設置する場合の施工の手間を軽減した埋込ボックスを提供する。【解決手段】埋込ボックス１のボックス本体１０は前面が開口した略箱状であって、造営面に開口する配線器具取付用孔の裏側に埋設固定される。コネクタ４０は、造営面の裏側に先行配線され、ノックアウト部１０ａを通してボックス本体１０の内側に導入される電線（電力線Ｌ１および情報線Ｌ２）を、少なくとも電線Ｌ１，Ｌ２が埋込ボックス１に取着されるゲート装置に接続されていない間、互いに絶縁された状態で仮保持するものであり、ボックス本体１０の底壁に設けた保持突起１０ｄとボックス本体１０の下側壁との間にコネクタ本体４０Ａの後部を嵌め込むことで、ボックス本体１０に仮保持される。【選択図】図１
2007151281.tif 000002
【特許請求の範囲】
【請求項１】
造営面に開口する取付用孔の裏側に埋設固定されるボックス本体を具備し、造営面の裏側に先行配線されて前記ボックス本体の内側に導入される複数本の電線を、少なくとも前記電線が接続対象の機器に接続されていない間、互いに絶縁された状態で仮保持する電線保持部材を前記ボックス本体に取着したことを特徴とする埋込ボックス。
【請求項２】
前記電線保持部材を仮保持する仮保持部を前記ボックス本体に設けたことを特徴とする請求項１記載の埋込ボックス。
【請求項３】
前記電線保持部材は、前記複数本の電線の先端部分がそれぞれ挿入され、先端部分を挿抜可能な状態で仮保持する複数の電線差込口を備えて成ることを特徴とする請求項１又は２記載の埋込ボックス。
【請求項４】
前記電線保持部材に、前記複数本の電線がそれぞれ電気的に接続される複数の接続端子と、送り配線用の複数本の電線がそれぞれ電気的に接続されるとともに、対応する前記接続端子に電気的に接続される複数の送り配線用端子とを設けたことを特徴とする請求項１又は２記載の埋込ボックス。
【請求項５】
前記電線保持部材が、造営面に取着される機器に対して、保持した複数本の電線を電気的に接続するための接続コネクタからなることを特徴とする請求項１又は２記載の埋込ボックス。
【請求項６】
ボックス本体の内側に導入される前記各電線の余長分が巻回される電線巻取体を設けたことを特徴とする請求項１乃至５の何れかに記載の埋込ボックス。
【発明の詳細な説明】
【技術分野】
【０００１】
本発明は、埋込ボックスに関するものである。
【背景技術】
【０００２】
従来の埋込ボックスでは、造営面に開口する配線器具取付用孔の裏側にボックス本体を埋設配設しておき、造営面の裏側に先行配線された電力線をボックス本体の内側に導入していた（例えば特許文献１参照）。そして、配線器具取付用孔に所望の配線器具を埋込配設する際には、ボックス本体の内側に導入された電力線をボックス外に引き出して、配線器具の背面に設けた速結端子構造の端子部に電力線を接続した後、配線器具の後部を配線器具用取付孔の内部に納めた状態で、配線器具用に規格化された取付枠を用いて、配線器具を造営面に取着していた。
【特許文献１】特開２００１−３７０３７号公報（段落番号［０００２］、及び、第１３図）
【発明の開示】
【発明が解決しようとする課題】
【０００３】
上述の埋込ボックスでは、配線器具や電気機器が直ちには必要ないが将来必要になる場合に備えて、或いは、設置していた配線器具や電気機器を撤去するなどして、電力線または情報線が埋込ボックス内に先行配線されているだけで、配線器具や電気機器を設置していない状態がある。
【０００４】
このような場合、電力線または情報線は先端部分の被覆を剥がして芯線を露出させているので、芯線部分を絶縁処理しておく必要があり、従来は電線の先端に絶縁テープを巻付けるなどして絶縁処理を施し、造営材に開口した孔にはブランクプレートなどを取り付けて、埋込ボックス内を見えないようにしていた。そして、配線器具や電気機器を設置する必要が生じた場合には、ブランクプレートを外して、ボックス内から電線を引き出し、先端の絶縁処理部分を剥がして、芯線処理を施す必要があり、施工に手間がかかるという問題があった。
【０００５】
本発明は上記問題点に鑑みて為されたものであり、その目的とするところは、配線器具や電気機器が設置されておらずボックス内部に電線を先行配線しただけの状態から、配線器具や電気機器を設置する場合の施工の手間を軽減した埋込ボックスを提供することにある。
【課題を解決するための手段】
【０００６】
上記目的を達成するために、請求項１の発明は、造営面に開口する取付用孔の裏側に埋設固定されるボックス本体を具備し、造営面の裏側に先行配線されてボックス本体の内側に導入される複数本の電線を、少なくとも電線が接続対象の機器に接続されていない間、互いに絶縁された状態で仮保持する電線保持部材をボックス本体に取着したことを特徴とする。
【０００７】
この発明によれば、ボックス本体の内側に導入される複数本の電線が、電線保持部材によって、少なくとも電線が接続対象の機器に接続されていない間、互いに絶縁された状態で仮保持されているので、複数本の電線を電線保持部材に仮保持させるだけで、電線同士が短絡するのを防止でき、また接続対象の機器を埋込配設する際には、電線保持部材に保持させておいた電線を接続対象の機器に接続すれば良く、従来のように絶縁テープを巻付けるような絶縁処理を施していないので、芯線処理が不要になり、配線施工の手間を少なくできる。
【０００８】
請求項２の発明は、請求項１の発明において、電線保持部材を仮保持する仮保持部をボックス本体に設けたことを特徴とする。
【０００９】
この発明によれば、電線保持部材は仮保持部に仮保持されているので、ボックス本体の内側で電線を所望の位置に位置決めでき、且つ、仮保持部から外した状態で電線保持部材に電線を仮保持させることができるから、電線の接続作業を容易に行うことができる。
【００１０】
請求項３の発明は、請求項１又は２の発明において、電線保持部材は、複数本の電線の先端部分がそれぞれ挿入され、先端部分を挿抜可能な状態で仮保持する複数の電線差込口を備えて成ることを特徴とする。
【００１１】
この発明によれば、電線保持部材は、電線差込口に先端部分を挿入した状態で電線を仮保持しているので、電線を仮保持している間に電線の先端部分が変形するのを防止でき、電線を電線保持部材から外して接続対象の機器に接続する際に電線の接続作業を容易に行うことができる。
【００１２】
請求項４の発明は、請求項１又は２の発明において、電線保持部材に、複数本の電線がそれぞれ電気的に接続される複数の接続端子と、送り配線用の複数本の電線がそれぞれ電気的に接続されるとともに、対応する接続端子に電気的に接続される複数の送り配線用端子とを設けたことを特徴とする。
【００１３】
この発明によれば、ボックス本体の内側に導入されて接続端子に接続されている電線を外さなくても、接続対象の機器に接続された電線を送り配線用端子に接続することで、機器への配線を行うことができる。
【００１４】
請求項５の発明は、請求項１又は２の発明において、電線保持部材が、造営面に取着される機器に対して、保持した複数本の電線を電気的に接続するための接続コネクタからなることを特徴とする。
【００１５】
この発明によれば、電線保持部材が接続コネクタで構成されているので、電線保持部材を仮保持部から外して、接続対象の機器に接続することで、機器への電気配線を容易に行うことができる。
【００１６】
請求項６の発明は、請求項１乃至５の何れかの発明において、ボックス本体の内側に導入される各電線の余長分が巻回される電線巻取体を設けたことを特徴とする。
【００１７】
この発明によれば、電線巻取体に電線の余長分を巻回することによって、ボックス本体の内側で電線の余長分を纏まり良く収納することができる。
【発明の効果】
【００１８】
本発明によれば、ボックス本体の内側に導入される複数本の電線が、電線保持部材によって、少なくとも電線が接続対象の機器に接続されていない間、互いに絶縁された状態で仮保持されているので、複数本の電線を電線保持部材に仮保持させるだけで、電線同士が短絡するのを防止でき、また接続対象の機器を埋込配設する際には、電線保持部材に保持させておいた電線を接続対象の機器に接続すれば良く、従来のように絶縁テープを巻付けるような絶縁処理を施していないので、芯線処理が不要になり、配線施工の手間を軽減できるという効果がある。
【発明を実施するための最良の形態】
【００１９】
以下に本発明の実施の形態を図面に基づいて説明する。
【００２０】
（実施形態１）
図１５は本実施形態の埋込ボックスを用いた配線システムのシステム構成図であり、建物内の適所において造営面に開口した取付孔の裏側に埋込ボックス１を埋込配設してある。これら埋込ボックス１の間には造営面の裏側に先行配線された電力線Ｌ１および情報線Ｌ２を送り配線するとともに、始端の埋込ボックス１に対しては建物内の適所に設けた分電盤２内に引き込まれ、主幹ブレーカＭＢおよび分岐ブレーカＢＢを介して屋内に引き込まれた電力線Ｌ１を導入するとともに、外部のインターネット網ＮＴにゲートウェイＧＷ（必要に応じてルータ、ハブ）を介して接続されている情報線Ｌ２を導入してある。
【００２１】
これらの埋込ボックス１は、例えばＪＩＳで規格化された大角形の１個モジュール寸法の埋め込み型の配線器具が３個取り付けることができる１連の取付枠４（図９参照）に対応して規格化されたスイッチボックスからなり、図１に示すように前面が開口した箱状のボックス本体１０を備え、ボックス本体１０の各側面にはノックアウト部１０ａが形成されている。またボックス本体１０の上下両側壁の略中央には、取付枠４を取り付けるための取付ねじ（図示せず）が螺合するねじ孔１０ｃを有するボス部１０ｂが一体に形成されている。このボックス本体１０の内側には、何れかのノックアウト部１０ａを穿孔して形成された電線導入口を通して、分電盤２又は他の埋込ボックス１より送り配線されてくる電力線Ｌ１及び情報線Ｌ２が導入されている。
【００２２】
ここで、本実施形態ではボックス本体１０の内側に導入される各一対の電力線Ｌ１又は情報線Ｌ２を、電力線Ｌ１、情報線Ｌ２が後述のゲート装置３に接続されていない間、互いに絶縁された状態で仮保持するコネクタ（電線保持部材）４０，４０を設けてあり、ボックス本体１０の底壁に突設した仮保持部としての保持突起１０ｄとボックス本体１０の下壁との間で各コネクタ４０の後部を挟むことによって、各コネクタ４０をボックス本体１０に仮保持できるようになっている。
【００２３】
コネクタ４０は扁平な直方体状のコネクタ本体４０Ａを有しており、コネクタ本体４０Ａの長手方向における一方の面には、一対の電力線Ｌ１又は情報線Ｌ２がそれぞれ挿入される一対の電線挿入口４１が開口する。そして、コネクタ本体４０Ａの内部には、電線挿入口４１から挿入される電線（電力線Ｌ１又は情報線Ｌ２）と鎖錠して抜止を行う速結構造の接続端子（図示せず）が収納されており、各接続端子を電線から離れる向きに押圧することによって電線の鎖錠状態を同時に解除するための解除釦４２がコネクタ本体４０Ａの表面に露設されている。
【００２４】
また、ボックス本体１０内に導入される電線（電力線Ｌ１及び情報線Ｌ２）の余長部分を巻き取るために巻取ドラム（電線巻取体）５０，５０を設けてあり、ボックス本体１０の底壁には巻取ドラム５０の中心に設けた貫通孔５０ａ内に挿入されて、貫通孔５０ａの孔縁に係止する各一対の弾性係止爪片１０ｅ，１０ｅを突設してある。
【００２５】
而して、この埋込ボックス１に、造営面の裏側に先行配線された電力線Ｌ１および情報線Ｌ２を導入するに当たっては、何れかのノックアウト部１０ａを穿孔して形成した配線導入口からボックス本体１０の内側に電力線Ｌ１と情報線Ｌ２とを導入し、電力線Ｌ１および情報線Ｌ２の先端部分の被覆を剥がして、芯線を露出させた後、電力線Ｌ１および情報線Ｌ２の芯線をそれぞれ対応するコネクタ本体４０Ａの電線挿入口４１に挿入して、電力線Ｌ１および情報線Ｌ２をコネクタ本体４０Ａ、４０Ａに保持させる。そして、図２（ａ）（ｂ）に示すように各コネクタ本体４０Ａの後部をボックス本体１０の下壁と保持突起１０ｄとの間に嵌め込んで、各コネクタ本体４０Ａをボックス本体１０に仮保持させた後、電力線Ｌ１および情報線Ｌ２の余長分をそれぞれ巻取ドラム５０，５０に巻付け、これら巻取ドラム５０の貫通孔５０ａ内にボックス本体１０の底壁に設けた弾性係止爪片１０ｅを係止させることで、巻取ドラム５０をボックス本体１０に取着する。
【００２６】
このように本実施形態では、ボックス本体１０の内側に導入される複数本の電線（電力線Ｌ１および情報線Ｌ２）が、保持突起１０ｄによりボックス本体１０に仮保持されるコネクタ４０によって、少なくとも電線がゲート装置３に接続されていない間、互いに絶縁された状態で仮保持されているので、電力線Ｌ１や情報線Ｌ２の芯線に絶縁テープを巻付けるような絶縁処理を施すことなく、電力線Ｌ１や情報線Ｌ２が互いに短絡するのを防止できる。また、コネクタ４０，４０はボックス本体１０の内部の所定位置に仮保持されているので、各コネクタ４０に電力線Ｌ１および情報線Ｌ２を仮保持させることで、電線（電力線Ｌ１および情報線Ｌ２）を所望の位置に位置決めすることができる。また、それぞれの巻取ドラム５０に電力線Ｌ１および情報線Ｌ２の余長分を巻付けることで、電線の余長処理を行うことができ、ボックス本体１０内に導入した電線を纏まり良く収納することができる。また各コネクタ４０は保持突起１０ｄにより仮保持されているので、保持突起１０ｄから外した状態で各コネクタ４０に電線を仮保持させることができるから、電線の接続作業を容易に行うことができる。
【００２７】
なお、コネクタ４０をボックス本体１０に仮保持する手段は上記の保持突起１０ｄに限定される趣旨のものではなく、図３（ａ）に示すように例えばボックス本体１０の下壁中央に設けたボス部１０ｂの上部と嵌合する断面円弧状の嵌合片４３をコネクタ本体４０Ａと一体に設け、コネクタ本体４０Ａの嵌合片４３をボス部１０ｂと嵌合させることで、コネクタ本体４０Ａをボックス本体１０に仮保持させるようにしても良い（図３（ｂ）参照）。また、図４（ａ）（ｂ）に示すように、ボックス本体１０の底壁にコネクタ本体４０Ａの一面を当接させた状態で仮保持するようにし、ボックス本体１０の底壁に設けた係止突起１０ｆ，１０ｆの間にコネクタ本体４０Ａを嵌め込むことによって、コネクタ本体４０Ａをボックス本体１０に仮保持させるようにしても良い。
【００２８】
次に、埋込ボックス１に取付枠４を介して取り付けられるゲート装置３、このゲート装置３に接続される基本機能モジュール８および基本機能モジュール８に連接される拡張機能モジュール９について以下に説明する。
【００２９】
各埋込ボックス１には、後述の基本機能モジュール８を接続するゲート装置３のボディを夫々取付枠４を介して取り付けてある。取付枠４は図９に示すように中央に器具取付用の窓孔４ａを設けてあって、この窓孔４ａに取付対象の器具本体（配線器具）の前部を背方から嵌め、左右両側の枠片に設けた係止手段に器具本体の両側に設けた被係止部を係止させて、器具本体を固定するようになっている。そして、上下両側の枠片に設けた取付孔４ｂに挿通する取付ねじ（図示せず）をボックス本体１０のねじ孔１０ｃに締結することで、器具本体ごと埋込ボックス１に取り付けられる。
【００３０】
ゲート装置３は、ボディの背面部に従来周知の速結端子構造の接続端子部５ａ，５ｂ及び送り配線用の接続端子部５ａ’，５ｂ’を備え、端子部５ａ，５ａ’と端子部５ｂ，５ｂ’とに夫々対応する電力線Ｌ１と情報線Ｌ２とを接続するようになっている。すなわち、ゲート装置３を埋込配設する際には、ボックス本体１０に仮保持されたコネクタ４０の解除釦４２を押操作して、電力線Ｌ１および情報線Ｌ２の鎖錠状態を解除した後、コネクタ本体４０Ａから電力線Ｌ１および情報線Ｌ２を引き抜いて、ゲート装置３の端子部５ａ，５ｂに接続することができ、配線施工の手間を少なくできる。
【００３１】
またゲート装置３の前面部には、電力線Ｌ１が接続される端子部５ａ，５ａ’に電気的に接続される導電部（図示せず）を備えた電力路接続口６Ａと、情報線Ｌ２が接続される端子部５ｂ，５ｂ’に電気的に接続される導電部（図示せず）を備えた情報路接続口６Ｂとを有してモジュール化された接続口６が設けられている。
【００３２】
これらの接続口６Ａ，６Ｂは両者間の間隔及び内部の導電部の配列、開口部の形状等がシステムとして定形化（規格化）されており、基本機能モジュール８の背面部に設けたコネクタ７の被接続部７Ａ、７Ｂを各接続口６Ａ，６Ｂに結合することによって、ゲート装置３のボディ前面部を覆うようにして埋込ボックス１の前面開口側に基本機能モジュール８が取着されるのである。
【００３３】
基本機能モジュール８は、後述の拡張機能モジュール９と共に所望の機能を有する機能装置を構成するものであり、図１０及び図１１（ａ）に示す合成樹脂製で扁平なモジュール本体８Ａ内に図１３に示す回路を内蔵しているもので、背面部に設けたコネクタ７の被接続部７Ａ，７Ｂをゲート装置３の各接続口６Ａ，６Ｂに結合させることで、埋込ボックス１の前面開口を覆うとともに、周部のフランジを埋込ボックス１の前面開口周辺の壁面に重ねた状態となり、その状態で上、下部の中央に穿孔している取付孔８０に取付ねじ（図示せず）を前側から挿通させて取付枠４の上下の枠に設けたねじ孔４ｃに螺入締結することで埋込ボックス１に取付枠４を介して取り付けられる。
【００３４】
またモジュール本体８Ａの前面部には、上、下の取付孔８０の開口位置より上又は下側位置において、図１１（ａ）に示すようにモジュール本体８Ａの幅方向に幅広溝８１ａと幅狭溝８１ｂとからなる連結用溝部８１を中央の仕切壁８２で左右に二分されるように形成している。
【００３５】
この仕切壁８２の左側又は右側の連結用溝部８１には図５（ｂ）に示す合成樹脂製の連結体８４の片側半分を仕切壁８２に当たる位置まで嵌め込み、この連結体８４の残り半分を図１２に示すように拡張機能モジュール９側に同様に設けてある連結用溝部８１に嵌め込むことで、基本機能モジュール８と拡張機能モジュール９とを機械的に結合できるようになっている。連結体８４は背面に幅広溝８１ａ，幅狭溝８１ｂを仕切る仕切壁８１ｃが嵌る溝８４ａを設け、両溝８１ａ、８１ｂに跨るように挿入される。そして基本機能モジュール８では前面部側から化粧カバー８Ｂを着脱自在に被着することで、また拡張機能モジュール９では蓋部８３を閉じることで、両者の連結用溝部８１に跨るように嵌め込んである連結体８４が脱落しないように保持して連結状態を維持するようになっている。而して連結体８４と連結用溝部８１とが基本機能モジュール８と拡張機能モジュール９との連結手段を構成する。
【００３６】
基本機能モジュール８は、図７に示すように、被接続部７Ａを介して接続される商用電源ＡＣを所定電圧に降下させるとともに周波数を高くし、この高い周波数に変換した低圧交流電源をコア１１に巻装したコイル１２に印加するＡＣ／ＡＣコンバータ１３と、低圧交流電源を整流平滑後、安定した直流電圧からなる内部回路の動作電源＋Ｖを得る直流電源部１４と、被接続部７Ｂを介して接続される情報線Ｌ２を通じて情報信号を双方向に伝送する送受信部１５と、送受信部１５が受信した情報信号をＥ／Ｏ変換し発光素子ＬＥＤを通じて送出するＥ／Ｏ変換部１６と、後述する拡張機能モジュール９側から送られくる光信号からなる情報信号を受光素子ＰＤで受光しＯ／Ｅ変換して送受信部１５に渡すＯ／Ｅ変換部１７とを備えている。
【００３７】
コイル１２及びコア１１は基本機能モジュール８と連結する拡張機能モジュール９に電力を非接触で供給するための電磁結合部を構成するもので、連結する拡張機能モジュール９（図１４参照）側に設けたコイル１８を巻回したコア１９にコア１１が磁気結合してトランス作用によりコイル１８側に低圧交流電源電圧を誘起させて電源供給を行うようになっている。ここでＡＣ／ＡＣコンバータ１３により商用周波数よりも周波数が高い交流電源に変換することで、電磁結合部によるトランス構成の小型化を図っている。
【００３８】
一方、Ｅ／Ｏ変換部１６の発光素子ＬＥＤは隣接する拡張機能モジュール９に情報信号を光信号により非接触で伝達するためのもので、連結された拡張機能モジュール９側のＯ／Ｅ変換部２０に設けた受光素子ＰＤに対置される。また、Ｏ／Ｅ変換部１７の受光素子ＰＤは隣接する拡張機能モジュール９から光信号により伝達されてくる情報信号を受け取るためのもので、連接する拡張機能モジュール９側のＥ／Ｏ変換部２１の発光素子ＬＥＤに対置される。
【００３９】
そして、コア１１とコイル１２とからなる電磁結合部は図１３では１組しか示していないが実際には電気的に並列な２組備え、またＥ／Ｏ変換部１６の発光素子ＬＥＤ，Ｏ／Ｅ変換部１７の受光素子ＰＤも夫々に別の発光素子ＬＥＤ、受光素子ＰＤを接続しており、モジュール本体８Ａの両側において側壁に近接する内部位置に夫々１組ずつ夫々配置している。ここで、発光素子ＬＥＤの発光部及び受光素子ＰＤの受光部が対向するモジュール本体８Ａの側壁部位は光信号が透過可能なように透明部Ｙとしてある。尚、モジュール本体８Ａの両側では、受光素子ＰＤと、発光素子ＬＥＤの位置が上、下で逆になるように配置され、例えば右側では受光素子ＰＤを上、発光素子ＬＥＤを下とし、左側では受光素子ＰＤを下、発光素子ＬＥＤを上としてある。そして電磁結合部を構成するコア１１の先端部の配置位置と、受光素子ＰＤ及び発光素子ＬＥＤの配置位置の上下間隔は規格化している。尚、図１３ではゲート装置３の両接続口６Ａ，６Ｂ及び基本機能モジュール８のコネクタ７の被接続部７Ａ，７Ｂを縦方向で示しているが、実際は横方向になっている。
【００４０】
基本機能モジュール８に接続される拡張機能モジュール９としては、機能の異なる複数種類のものが準備されているが、基本的には図１２に示すようにモジュール本体９Ａの高さ寸法を基本機能モジュール８と同じ高さ寸法に規格化され、また横幅寸法も規格化された単位モジュール寸法の整数倍に規格化され、またモジュール本体９Ａの両側面の形状は基本機能モジュール８の側面と同形状とし、また背面を平坦な面に形成して壁面に沿わせることができるようにしている。そして上下位置には上述の連結体８４を基本機能モジュール８と同様に挿入するための幅広溝８１ａおよび幅狭溝８１ｂからなる連結用溝部８１を設けるとともに、この連結用溝部８１を開閉する蓋部８３を設け、連結体８４を装着する際や外す場合にはこの蓋部８３を開き、連結体８４の装着状態を保持する際には上述したように閉じるようになっている。
【００４１】
拡張機能モジュール９は図１４に示すような回路をモジュール本体９Ａの内部に収納してある。すなわち、拡張機能モジュール９は、上述したコイル１８およびコア１９からなる電磁結合部を２組備えて、モジュール本体９Ａの両側壁に近接する内部に配置するとともに、夫々のコイル１８同士を電気的に接続し、片側の電磁結合部が隣接する基本機能モジュール８又は拡張機能モジュール９の電磁結合部と電磁結合して電力を受け取る側（二次側）となると、他方の電磁結合部が電力供給側（一次側）となるようになっている。これらの電磁結合部を構成するコア１９の先端が近接配置されるモジュール本体９Ａの側面位置が磁気結合部Ｘとなる。また両電磁結合部のコイル１８，１８間を接続する線路には直流電源部２２を接続し、内部回路の動作電源＋Ｖを得るようになっている。
【００４２】
更に情報信号を授受するために、モジュール本体９Ａ内には連結する基本機能モジュール８又は拡張機能モジュール９から送られてくる光信号からなる情報信号を受光素子ＰＤで受光して電気的な信号に変換するＯ／Ｅ変換部２０と、電気信号からなる情報信号を隣接する機能モジュール８，９へ光信号からなる情報信号として発光素子ＬＥＤで送り出すためのＥ／Ｏ変換部２１と、Ｏ／Ｅ変換部２０からの電気信号からなる情報信号を受け取るとともに、電気信号からなる情報信号をＥ／Ｏ変換部２１へ送り出す情報信号送受信部２３とからなる情報信号送受信手段を二組設け、一方の発光素子ＬＥＤと受光素子ＰＤをモジュール本体９Ａの左側側壁近傍の内部に、また他方の伝送処理部の発光素子ＬＥＤと受光素子ＰＤをモジュール本体９Ａの右側側壁近傍の内部に配置してある。ここで、左側に配置される発光素子ＬＥＤの位置は受光素子ＰＤの下側に、また右側に配置される発光素子ＬＥＤの位置は受光素子ＰＤの上側に夫々を配置し、左側に連結される機能モジュール８，９の右側側壁付近に配置された発光素子ＬＥＤ、受光素子ＰＤに、左側側壁付近に配置した受光素子ＰＤ、発光素子ＬＥＤが夫々対向し、また右側に連結される機能モジュール８，９の左側側壁付近に配置した発光素子ＬＥＤ、受光素子ＰＤに右側側壁付近に配置した受光素子ＰＤ、発光素子ＬＥＤが夫々対向するようになっている。そして、発光素子ＬＥＤ、受光素子ＰＤが対向しているモジュール本体９Ａの側壁は、光信号が透過できるよう、基本機能モジュール８と同様に透明部Ｙとなっている。そして、両側の情報信号送受信部２３，２３間をモジュール本体９Ａ内において、双方向の信号ライン２４で接続して、両側に隣接する機能モジュール８，９に対して情報信号を中継できるようになっている。
【００４３】
すなわち、拡張機能モジュール９のモジュール本体９Ａの側面に磁気結合部Ｘ及び透明部Ｙが形成される位置は、図１０で示す基本機能モジュール８の側面の磁気結合部Ｘ及び透明部Ｙの位置と合うように規格化され、拡張機能モジュール９、９同士を連結させたとき或いは基本機能モジュール８と拡張機能モジュール９とを連結させたときに面接する側面側の磁気結合部Ｘ、Ｘ同士及び、透明部Ｙ，Ｙ同士が夫々対向するようになっている。つまり夫々の給電手段の接続口同士、情報信号の伝達手段の接続口同士が接続された状態となる。
【００４４】
尚、基本機能モジュール８は両側に拡張機能モジュール９を連結することができるため、基本機能モジュール８の両側方向に拡張機能モジュール９を連結しても良い。このようにして拡張機能モジュール９を連結した後、両端に位置する拡張機能モジュール９又は基本機能モジュール８の反連結部位の側部に着脱自在にエンドカバー２８を被着することで、拡張機能モジュール９の連結施工が完了することになる。尚、基本機能モジュール８に拡張機能モジュール９を連結しない状態、基本機能モジュール８のみで使用する場合はエンドカバー２８を基本機能モジュール８の両側部に被着する。
【００４５】
また更に、モジュール本体９Ａ内には、信号ライン２４上の情報信号を受信するとともに、信号ライン２４上に情報信号を送出する送受信部２５と、この送受信部２５で受信される情報信号からデータを取り込んで処理を行うとともに、当該拡張機能モジュール９から他の拡張機能モジュール９宛にデータを送る場合のデータ生成処理を行う演算処理部２６と、Ｉ／Ｏインターフェース２７を介して演算処理部２６との間でデータの授受を行って動作する機能部３０とが収納されており、この機能部３０の構成が拡張機能モジュール９の種類によって異なるのである。
【００４６】
例えば図１５に示すように建物内の適所において埋込配設された複数の埋込ボックス１の内、室内の天井面のようなハイポジションＨＰに設けられた埋込ボックス１のゲート装置３には引掛栓刃接続部３８を備えた基本機能モジュール８が接続され、この基本機能モジュール８には人感センサ等のセンサ３９が設けられた拡張機能モジュール９などが連結される。壁スイッチ等で推奨される高さ位置（ミドルポジションＭＰ）に設けられた埋込ボックス１のゲート装置３には、スイッチ手段Ｓが備わった基本機能モジュール８に、インターホン機能部Ｈを持つ拡張機能モジュール９や、空調用コントローラＣＲが備わった拡張機能モジュール９が連結される。更に足元付近（ローポジションＬＰ）に設けられた埋込ボックス１のゲート装置３には、電源コンセント部３７を備えた基本機能モジュール８が接続され、更に足下灯ＬＬを構成する機能モジュール９が連結されている。またハイポジションＨＰやローポジションＬＰの埋込ボックス１のゲート装置３には、スピーカＳＰなどを備えたＢＧＭ用の機能等を併せ持つ基本機能モジュール８を接続したり、ミドルポジションＭＰの埋込ボックス１のゲート装置３には、モニタ装置Ｍを備えた基本機能モジュール８を接続している。ここで、上述の情報線Ｌ２は複数種の機能モジュールに対応した情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置３を介して基本機能モジュール８や後述の拡張機能モジュール９に複数種類の機能モジュールに対応した情報信号を伝達することができるから、機能モジュール８，９に所望の機能を有する機能モジュールを選択して設置することができ、多種多様な機能をもつシステムを実現することができる。
【００４７】
（実施形態２）
本発明の実施形態２について図５〜図８に基づいて説明する。上述の実施形態１では、電力線Ｌ１および情報線Ｌ２がゲート装置に接続されていない間だけ電力線Ｌ１および情報線Ｌ２を仮保持するコネクタ４０で電線保持部材を構成しているのに対して、本実施形態では、それぞれ保持した電力線Ｌ１又は情報線Ｌ２を、ゲート装置３に対して電気的に接続するための接続コネクタ（以下、コネクタと言う。）４０で電線保持部材を構成している。尚、コネクタ４０’以外の構成は実施形態１と同様であるので、共通する構成要素には同一の符号を付して、その説明は省略する。
【００４８】
コネクタ４０’は、図５（ａ）に示すように扁平な直方体状のコネクタ本体４０Ａを有しており、コネクタ本体４０Ａの長手方向における一方の面には、一対の電力線Ｌ１又は情報線Ｌ２がそれぞれ挿入される一対の電線挿入口４１が開口する。そして、コネクタ本体４０Ａの内部には、電線挿入口４１から挿入される電線（電力線Ｌ１又は情報線Ｌ２）と鎖錠して電気的接続を行う接続端子（図示せず）が収納されており、各接続端子を電線から離れる向きに押圧することによって電線の鎖錠状態を同時に解除するための解除釦４２がコネクタ本体４０Ａの表面に露設されている。また、コネクタ本体４０Ａの表面には、内部に収納した一対の接続端子にそれぞれ電気的に接続される接続ピン４４，４４が突設されている。
【００４９】
而して、このコネクタ４０’に保持させた電力線Ｌ１および情報線Ｌ２を実施形態１で説明したゲート装置３に接続するに当たっては、図６に示すようにコネクタ本体４０Ａに突設された接続ピン４４，４４を、ゲート装置３の背面に設けた接続ピン挿入口３１，３１に挿入して、ゲート装置３の内部に収納された刃受部材よりなる端子部５ａ又は端子部５ｂに接続することによって、各々のコネクタ４０’，４０’に保持された電力線Ｌ１および情報線Ｌ２をゲート装置３に容易に接続することができる。
【００５０】
なお、コネクタ４０’とゲート装置３との電気的接続は、上述した接続ピン４４と刃受部材（図示せず）とによる接続に限定される趣旨のものではなく、適宜の接続手段を用いてコネクタ４０’，４０’をゲート装置３の端子部５ａ，５ｂに接続すれば良い。
【００５１】
例えば図５（ｂ）に示すコネクタ４０’では、コネクタ本体４０Ａの長手方向両側面に各一対の電線挿入口４１を設けるとともに、各一対の電線挿入口４１から挿入される電線の芯線と鎖錠して電気的接続を行う速結端子構造の接続端子（図示せず）をコネクタ本体４０Ａの内部に収納して、コネクタ本体４０Ａの内部において長手方向の両側に配置した接続端子の間を電気的に接続してある。
【００５２】
而して、図７に示すようにコネクタ本体４０Ａの長手方向一端側に設けた電線挿入口４１に、ボックス本体１０の内側に導入された電線（電力線Ｌ１又は情報線Ｌ２）を接続するとともに、コネクタ本体４０Ａの長手方向他端側に設けた電線挿入口４１にリード線４５を接続すれば、リード線４５がコネクタ４０’を介して電力線Ｌ１又は情報線Ｌ２に接続されるから、このリード線４５をゲート装置３の備える速結端子構造の端子部５ａ又は５ｂに接続すれば、ボックス内に導入されてコネクタ４０’に保持させている電線（電力線Ｌ１又は情報線Ｌ２）をコネクタ４０’から外さなくても、この電線をゲート装置３に容易に接続することができる。
【００５３】
また図５（ｃ）及び図８に示すコネクタ４０’では、コネクタ本体４０Ａの長手方向における一方の面に、一対の電力線Ｌ１又は情報線Ｌ２がそれぞれ挿入される一対の電線挿入口４１が開口するするとともに、コネクタ本体４０Ａの内部に、電線挿入口４１から挿入される電線（電力線Ｌ１又は情報線Ｌ２）と鎖錠して電気的接続を行う接続端子（図示せず）を収納してある。またコネクタ本体４０Ａの長手方向における他方の面からはリード線４６が導出され、このリード線４６の先端には差込プラグ４７を接続してある。差込プラグ４７は、図６に示すようにゲート装置３に設けた接続ピン挿入口３１内に挿入されて、ゲート装置３内に収納された刃受部材よりなる端子部５ａ又は５ｂに電気的に接続される一対の接続ピン４７ａを備えており、これら接続ピン４７ａはリード線４６を介してコネクタ本体４０Ａの内部に収納された一対の接続端子に電気的に接続されている。而して、ボックス本体１０の内側に導入された電線（電力線Ｌ１又は情報線Ｌ２）をコネクタ４０’の電線挿入口４１に挿入するとともに、差込プラグ４７の接続ピン４７ａをゲート装置３の接続ピン挿入口３１に挿入すると、各接続ピン４７ａがゲート装置３内部の刃受部材に接続されるから、埋込ボックス１内に導入された電線（電力線Ｌ１又は情報線Ｌ２）をゲート装置３に対して容易に接続することができる。
【００５４】
尚、上述の各実施形態では電力線Ｌ１および情報線Ｌ２が接続されるゲート装置３に対して基本機能モジュール８を接続しており、基本機能モジュール８はゲート装置３を介して電力線Ｌ１および情報線Ｌ２に接続されているが、ゲート装置３のボディと基本機能モジュール８のモジュール本体８Ａとを一体化し、このモジュール本体８Ａを取付枠４を介して埋込ボックス１内に埋込配設するとともに、モジュール本体８Ａに設けた速結端子構造の端子部５ａ，５ａ’，５ｂ，５ｂ’に電力線Ｌ１および情報線Ｌ２を直接接続するようにして、ゲート装置３を無くしても良い。
【００５５】
なお上述の各実施形態では埋込型配線器具を埋込配設するための埋込ボックスを例に説明を行ったが、本発明の埋込ボックスは埋込型配線器具を配設するために用いるボックスに限定されるものではなく、例えばインターホンのような電気機器を埋込配設するために、造営面に設けた取付孔に埋設されるものでも良いことは言うまでもない。
【図面の簡単な説明】
【００５６】
【図１】実施形態１の埋込ボックスの分解斜視図である。
【図２】（ａ）は同上の一部拡大せる外観斜視図、（ｂ）は同上の一部拡大せる正面図である。
【図３】同上に用いるコネクタの他の構成を示し、（ａ）は外観斜視図、（ｂ）はボックス本体に仮保持させた状態の一部拡大せる正面図である。
【図４】同上の埋込ボックスの他の構成を示し、（ａ）は分解斜視図、（ｂ）はコネクタを仮保持した状態の断面図である。
【図５】（ａ）〜（ｃ）は実施形態２の埋込ボックスに用いるコネクタの外観斜視図である。
【図６】同上に用いるコネクタのゲート装置への接続方法を示した説明図である。
【図７】同上に用いる他のコネクタのゲート装置への接続方法を示した説明図である。
【図８】同上に用いるまた別のコネクタのゲート装置への接続方法を示した説明図である。
【図９】同上に取着するゲート装置を取付枠に取り付けた状態の正面図である。
【図１０】同上に用いる基本機能モジュールをスイッチボックスから外した状態の斜視図である。
【図１１】（ａ）は同上に用いる基本機能モジュールから化粧カバーを外した状態の斜視図、（ｂ）は同上に用いる連結体の斜視図である。
【図１２】同上に用いる基本機能モジュールと拡張モジュールとの連結構成の説明図である。
【図１３】同上に用いるゲート装置と基本機能モジュールのブロック図である。
【図１４】同上に用いる拡張機能モジュールのブロック図である。
【図１５】同上を用いた配線システムの概略構成図である。
【符号の説明】
【００５７】
１  埋込ボックス
１０  ボックス本体
１０ａ  ノックアウト部
１０ｄ  保持突起
４０  コネクタ
４０Ａ  コネクタ本体
５０  巻取ドラム
Ｌ１  電力線
Ｌ２  情報線
【図１】
2007151281.tif 000003
【図２】
2007151281.tif 000004
【図３】
2007151281.tif 000005
【図４】
2007151281.tif 000006
【図５】
2007151281.tif 000007
【図６】
2007151281.tif 000008
【図７】
2007151281.tif 000009
【図８】
2007151281.tif 000010
【図９】
2007151281.tif 000011
【図１０】
2007151281.tif 000012
【図１１】
2007151281.tif 000013
【図１２】
2007151281.tif 000014
【図１３】
2007151281.tif 000015
【図１４】
2007151281.tif 000016
【図１５】
2007151281.tif 000017